(57)【要約】    粉塵爆発の発生する可能性の高いダイカスト製品に対して安全に研掃処理を行うことを実現するショットブラスト装置を提供する。被処理物の搬入出口を有し、該被処理物を包囲するように収納する被処理物収納体と、該被処理物収納体に収納された該被処理物に対して砥粒を投射する砥粒投射機と、前記被処理物収納体内の投射後の砥粒を回収して砥粒投射機に送る砥粒回収機構と、前記被処理物収納体から導通配管を介して接続され砥粒の投射により発生した粉塵を捕集する湿式集塵機とを備える。
2012066687.tif 000002
【特許請求の範囲】
【請求項１】
被処理物の搬入出口を有し、該被処理物を包囲するように収納する被処理物収納体と、  該被処理物収納体に収納された該被処理物に対して砥粒を投射する砥粒投射機と、  前記被処理物収納体内の投射後の砥粒を回収して砥粒投射機に送る砥粒回収機構と、  前記被処理物収納体から導通配管を介して接続され砥粒の投射により発生した粉塵を捕集する湿式集塵機とを備えるショットブラスト装置。
【請求項２】
前記湿式集塵機は、集塵機本体の上部に設けられ、送風機運転中は閉とされ、送風機停止中に開とされるガス抜き弁を有する請求項１記載のショットブラスト装置。
【請求項３】
前記湿式集塵機は、集塵機本体に取り付けられ、集塵機本体内の圧力が一定以上になったときに作動して開放する放散機構を有する請求項２記載のショットブラスト装置。
【請求項４】
前記湿式集塵機の入口側には、逆流防止弁が設けられている請求項３記載のショットブラスト装置。
【請求項５】
前記被処理物収納体は、該被処理物を囲むように収納する筐体と、  該筐体内部を二以上の空間に仕切る仕切り部材と、  該仕切り部材により仕切られた各空間のそれぞれに設けられ、被処理物を吊って保持するハンガー部材と、  前記仕切り部材及び前記ハンガー部材を回転駆動する駆動手段とを有し、  前記仕切り部材が回転方向の所定位置にされたとき、前記仕切り部材と前記筐体は、少なくとも前記砥粒投射機により砥粒を投射する空間を密閉し、  前記仕切り部材によって仕切られた空間の内の前記密閉された空間に収納された被処理物に対して前記砥粒投射機により砥粒を投射している際に、前記密閉された空間以外の空間に対して被処理物の搬入出を行える位置に前記搬入出口が設けられている請求項４記載のショットブラスト装置。
【請求項６】
前記被処理物収納体は、該被処理物を囲むように収納する筐体と、  該筐体内部を二以上の空間に仕切る仕切り部材と、  前記筐体と一体に又は別体に設けられ、被処理物を載置するテーブル部材と、  前記仕切り部材及びテーブル部材を回転駆動する駆動手段とを有し、  前記仕切り部材が回転方向の所定位置にされたとき、前記仕切り部材と前記筐体は、少なくとも前記砥粒投射機により砥粒を投射する空間を密閉し、  前記仕切り部材によって仕切られた空間の内の前記密閉された空間に収納された被処理物に対して前記砥粒投射機により砥粒を投射している際に、前記密閉された空間以外の空間に対して被処理物の搬入出を行える位置に前記搬入出口が設けられている請求項４記載のショットブラスト装置。
【請求項７】
前記砥粒投射機を構成するコントロールゲージは、ベリリウム銅製である請求項５または６記載のショットブラスト装置。
【請求項８】
前記砥粒回収機構を構成するバケットエレベータは、導電性ナイロン製バケットを用いている請求項７記載のショットブラスト装置。
【請求項９】
前記湿式集塵機を構成するファンインペラーは、アルミ製である請求項８記載のショットブラスト装置。
【請求項１０】
当該ショットブラスト装置は、マグネシウム合金ダイカストである被処理物に砥粒を投射して、該マグネシウム合金ダイカストの表面処理をする装置であり、  前記砥粒投射機から投射される砥粒は、亜鉛系投射材である請求項１乃至請求項９の内いずれか1項に記載のショットブラスト装置。
【請求項１１】
当該ショットブラスト装置は、アルミニウム合金ダイカストである被処理物に砥粒を投射して、該アルミニウム合金ダイカストの表面処理をする装置であり、  前記砥粒投射機から投射される砥粒は、アルミニウム系投射材である請求項１乃至請求項９の内いずれか1項に記載のショットブラスト装置。
【発明の詳細な説明】
【技術分野】
【０００１】  本発明は、酸化皮膜やバリを有する金属部品等の被研掃物に砥粒を投射して、この被研掃物から酸化皮膜、バリ等を除去するショットブラスト装置に関する。
【背景技術】
【０００２】  従来、被研掃物（以下、「被処理物」ともいう。）に付着した酸化皮膜やバリ等を除去するショットブラスト装置として例えば特許文献１に記載されたような装置がある。このショットブラスト装置は、被処理物を収納体に搬入し、ショット投射機（砥粒投射機）により砥粒を投射して研掃し、収納体から処理後の被処理物を搬出する装置である。
【先行技術文献】
【特許文献】
【０００３】
【特許文献１】特公昭６０−２３９４７号公報
【発明の概要】
【発明が解決しようとする課題】
【０００４】  しかし、該装置は研掃によって発生した粉塵の処理については考慮されていないため、粉塵爆発の発生する可能性の高いダイカスト製品に対して必ずしも十分に安全に研掃処理を行うものではなかった。粉塵爆発の発生する可能性の高いダイカスト製品に対して研掃処理を行うために、安全なショットブラスト装置が望まれている。【０００５】  本発明の目的は、粉塵爆発の発生する可能性の高いダイカスト製品に対して安全に研掃処理を行うことを実現するショットブラスト装置を提供することにある。
【課題を解決するための手段】
【０００６】  本発明に係るショットブラスト装置は、被処理物の搬入出口を有し、該被処理物を包囲するように収納する被処理物収納体と、該被処理物収納体に収納された該被処理物に対して砥粒を投射する砥粒投射機と、前記被処理物収納体内の投射後の砥粒を回収して砥粒投射機に送る砥粒回収機構と、前記被処理物収納体から導通配管を介して接続され砥粒の投射により発生した粉塵を捕集する湿式集塵機とを備える。
【発明の効果】
【０００７】  本発明は、粉塵爆発の発生する可能性の高いダイカスト製品に対して安全に研掃処理を行うことを実現する。
【図面の簡単な説明】
【０００８】
【図１】本発明が適用されたショットブラスト装置の正面図である。
【図２】図１のショットブラスト装置の平面図である。
【図３】図１のショットブラスト装置の右側面図である。
【図４】該ショットブラスト装置における研掃ステーションＳ１及び作業ステーションＳ２を説明する図であり、被処理物収納体の平断面図である。
【図５】研掃ステーション及び作業ステーションを仕切るための仕切り部材を説明するための図であり、仕切り部材の正面図である。
【図６】該ショットブラスト装置を構成する砥粒投射機の断面図である。
【図７】該ショットブラスト装置を構成する砥粒回収機構のバケットエレベータの断面図である。
【図８】該ショットブラスト装置を構成する湿式集塵機と、湿式集塵機の入口側に設けられる逆流防止弁との断面図である。
【図９】湿式集塵機の上部に設けられるガス抜き弁の断面図である。
【発明を実施するための形態】
【０００９】  以下、本発明を適用したショットブラスト装置１について図面を参照して説明する。このショットブラスト装置１は、酸化皮膜やバリを有する金属部品等の被研掃物に砥粒を投射して研掃し、この被研掃物から酸化皮膜、バリ等を除去する装置である。
【００１０】  図１〜図３に示すショットブラスト装置１は、被処理物収納体２と、砥粒投射機３と、砥粒回収機構４と、湿式集塵機５とを備える。被処理物収納体２は、被処理物（図示せず）の搬入出口７を有し、被処理物を包囲するように収納する。砥粒投射機３は、被処理物収納体２に収納された被処理物に対して砥粒を投射する。砥粒回収機構４は、被処理物収納体２内の投射後の砥粒を回収して砥粒投射機３に送る。湿式集塵機５は被処理物収納体２から導通配管である配管５３を介して接続され、砥粒の投射により発生した粉塵を捕集する。
【００１１】  被処理物収納体２は、該被処理物を囲むように収納する筐体１１と、筐体１１内部を二以上の空間に仕切る仕切り部材１２と、仕切り部材１２により仕切られた各空間のそれぞれに設けられ、被処理物を吊って保持するハンガー部材１３と、仕切り部材１２及びハンガー部材１３を回転駆動する駆動手段１４ａ，１４ｂとを有する。仕切り部材１２が回転方向の所定位置にされたとき、仕切り部材１２及び筐体１１は、少なくとも砥粒投射機３により砥粒を投射する空間を密閉する。ここで密閉とは、投射により空間内に発生した粉塵が空間の外部に流出しない程度に密閉されていることを意味する。仕切り部材１２によって仕切られる空間の内の一の空間（ここでは密閉された空間）に収納された被処理物に対して砥粒投射機３により砥粒を投射している際に、他の空間（密閉された空間以外の空間）に対して被処理物の搬入出を行える位置に上述の搬入出口７が設けられている。
【００１２】  具体的に筐体１１は、図１〜図４に示すように、正面壁部１５と、背面壁部１６と、左側壁部１７と、右側壁部１８とからなる壁部を有するとともに、これらの壁部の上部を閉塞する天井板部１９と、壁部の下方に天井板部１９に対向して設けられる底板部材２０とを有する。図４に示すように、背面壁部１６の左半分部分１６ａが右半分部分１６ｂに対して傾斜した状態とされている。左半分部分１６ａと右半分部分１６ｂの成す角度は９０°より大きく、１８０°より小さい。この背面壁部１６の左半分部分１６ａに、図２に示すように砥粒投射機３が配置される。  砥粒投射機３をこのように配置することにより、砥粒投射機３を被処理物に正対させることが可能になり（図４参照）、被処理物に対し適正な照射角度で砥粒を投射することができる（右半分部分１６ｂを傾斜させても同様）。さらに、背面壁部１６の右半分部分１６ｂ側に後述のバケットエレベータ３２を設けるスペースが得られるので、装置の小型化を図ることができる。  右側壁部１８には、図３に示すように点検用扉１８ｂが設けられる。正面壁部１５には、搬入出口７が設けられている。尚、搬入出口７には、筐体１１内を密閉可能なような開閉扉を設けるように構成してもよい。しかし、ここで説明する研掃ステーションＳ１と作業ステーションＳ２から成る２ステーション方式においては、後述のように研掃ステーションＳ１側のみが密閉されていればよく、作業ステーションＳ２側は常に外気側に開放されている。換言すると、仕切り部材１２が後述のように研掃ステーションＳ１を密閉するので、搬入出口７に対して被処理物の取り付けや取り外しをしやすいように作業ステーションＳ２と同等の大きさの開口を設けることが可能になる。
【００１３】  仕切り部材１２は、例えば図４に示すように装置の平断面において、複数（図４では２つ）の板状の部材が平断面に略直交する向きに配置されて構成されている。各板状の部材は、中央部分（以下、「第１部分１２ａ」という。）に対して両側部分（以下、それぞれ「第２部分１２ｂ」及び「第３部分１２ｃ」という。）がＶ字となるように互いに近接する方向に折り曲げられて形成されている。また、複数の板状の部材から構成される仕切り部材１２は、主回転軸（図示せず）に対して対称となるように、第１部分１２ａで一体とされている。さらに、仕切り部材１２には、上述のように形成された第２部分１２ｂや第３部分１２ｃの部分が変形しない程度の所定の強度を持たせるための補強部材１２ｆが設けられる。
【００１４】  図４及び図５に示すように、仕切り部材１２の両端部分、すなわち、第２部分１２ｂ及び第３部分１２ｃの鉛直方向側縁部には、外側に向けて筐体１１と摺接する板状のゴム部材１２ｄが取り付けられている。筐体１１側には、回転方向の所定位置においてこのゴム部材１２ｄと当接して筐体１１の内壁面と仕切り部材１２の隙間を密閉する当接部１７ａ，１８ａが左側壁部１７及び右側壁部１８の内面から延設するように設けられている。  天井板部１９は、仕切り部材１２とともに回転させるように構成してもよい。ここでは、天井板部１９は、回転しないように構成した例について説明する。仕切り部材１２の上端縁部にはゴム部材１２ｅが設けられており、このゴム部材１２ｅが天井板部１９と摺接することにより、仕切り部材１２と天井板部１９の隙間が密閉される。  さらに、仕切り部材１２と底板部材２０とが一緒に回転するように構成されており、そのため、一体化するように構成されていてもよいが、ここでは、仕切り部材１２の下部側も図示しないゴム部材が設けられるようにされており、このゴム部材により下方側も密閉している。
【００１５】  仕切り部材１２は、ゴム部材１２ｄが当接部１７ａ，１８ａに当接するような回転方向の所定位置に位置するときに、砥粒投射機により砥粒を投射可能な側の空間を密閉する。以下、図４等に示す当該密閉された側の空間が位置する位置Ｓ１を「研掃ステーション」といい、反対側の搬入出口７側の空間が位置する位置Ｓ２を「作業ステーション」という。ここでは、仕切り部材１２は、筐体１１内部を研掃ステーションＳ１となる空間と、作業ステーションＳ２となる空間との２つの空間に仕切る例を説明したが、筐体１１内部を３つ以上の空間に仕切るように構成してもよい。また、図４中Ｒｋは、研掃範囲を示し、Ｄ１は、砥粒投射機３による砥粒投射方向を示す。  
【００１６】  ハンガー部材１３は、図４に示すように、上述の仕切り部材１２で仕切られた２つの空間のそれぞれに位置するように、設けられている。ハンガー部材１３は、底板部材２０から立ち上がり形成された柱部材１３ａや、この柱部材から水平方向若しくは斜め上方に延設するように形成された吊り掛け部材１３ｂ等からなる。ハンガー部材１３は、被処理物を取り付けるための治具であり、被処理物を保持できるよう取り付け可能な構造であればよい。
【００１７】  尚、ここでは、ショットブラスト装置１を構成する被処理物収納体２としてハンガー部材１３を設ける方式のものについて説明したが、ハンガー部材１３を設けないように構成してもよい。ハンガー部材を設けない場合には、被処理物を載置するテーブル部材を設けるように構成すればよい。テーブル部材は上述した底板部材２０であってもよいが、底板部材２０とは別に追加して構成するようにしてもよい。
【００１８】  駆動手段１４は、仕切り部材１２を回転駆動する駆動手段１４ａと、ハンガー部材１３を回転駆動する駆動手段１４ｂとからなる。駆動手段１４ａは、図１に示すように、基台２１に設けられる減速機付モータ２３と、被処理物収納体２の主回転軸（図示せず）及び減速機付モータ２３を連結するタイミングベルト（図示せず）と、主回転軸が貫通する軸受２２とを有する。タイミングベルトに換えてローラーチェーンを用いてもよい。駆動手段１４ａは、モータ２３によりタイミングベルト及び主回転軸を介して被処理物収納体２の底板部材２０、及び仕切り部材１２を回転駆動する。  一方、駆動手段１４ｂは、ハンガー部材１３に接続される図示しない回転軸と、基台２１に設けられる図示しない減速機付モータと、回転軸及び減速機付モータを連結する図示しないローラーチェーンとを有する。駆動手段１４ｂは、このモータによりローラーチェーン及び回転軸を介して、ハンガー部材１３を仕切り部材１２から独立に回転させる。  従って、仕切り部材１２で研掃ステーションを密閉した状態で、ハンガー部材１３に取り付けた被処理物を回転させながら砥粒投射機３で砥粒を投射し、均一な研掃処理を行なうことができる。
【００１９】  この発明の被処理物収納体２では、研掃ステーションＳ１において砥粒投射機３から被処理物に砥粒を投射し、作業ステーションＳ２において、常に開放された搬入出口７から研掃済みの被処理物の取出しと、次に研掃する被処理物の取付けとを行う。すなわち、研掃ステーションＳ１と作業ステーションＳ２とからなる２ステーション方式では、研掃ステーションＳ１での研掃処理と並行して、作業ステーションＳ２で被処理物の取り外し及び取り付けを行うができる。  これに対し、１ステーション方式のショットブラスト装置では、扉を開けて研掃済みの被処理物を取り出し、次いで被処理物を取付け、さらに扉を密閉した後に研掃を行うという動作を繰り返す必要がある。従って、この発明の２ステーション方式は、１ステーション方式と比べてサイクルタイムを短縮できるとともに作業者の労力を低減することができる。
【００２０】  また、このショットブラスト装置１には、仕切り部材１２を回転駆動する駆動手段１４ａを制御する制御部２５が制御盤２６内に設けられており、この制御部２５は、タイマー管理により、仕切り部材１２の回転動作を制御している。  詳しくは、砥粒投射機３による砥粒の投射が終了した後、研掃ステーションS１内に残留する粉塵を湿式集塵機５で捕集するための時間が必要である。このため、投射完了後直ちに仕切り部材１２を回転させると作業ステーションＳ２側に粉塵が漏出する。  そこで、例えば、（ｉ）砥粒投射機３や湿式集塵機５の能力（集塵風量や研掃ステーションＳ１の密閉空間の体積も含む）からシミュレーションにより、投射終了後に湿式集塵機５による捕集が十分に行われる時間を割り出し、（ｉｉ）シミュレーションした時間を基に試運転調整時に実際の待機時間を決定し、（ｉｉｉ）この実際の待機時間を制御部２５内の記憶部に入力することで、作業ステーションＳ２への粉塵漏れを大幅に減少することを実現する。尚、この待機時間の設定に換えて若しくは設定に加えて、研掃ステーションＳ１内にセンサを設けて、このセンサからの出力に基づいて制御部２５が仕切り部材１２の回転動作を制御するようにしてもよい。
【００２１】  以上のようにして仕切り部材１２の回転動作をタイマー管理で制御することにより、研掃ステーションＳ１から作業ステーションへＳ２の粉塵漏出を低減することができる。  また、手動の１ステーション方式の装置の場合、開閉扉を研掃作業中に誤って開けたとき粉塵が漏出するという問題があった。仕切り部材１２の回転動作をタイマー管理で制御することにより、この問題も解決できる。
【００２２】  砥粒投射機３は、図６に示すように、インペラー２７、ディストリビュータ２８、コントロールゲージ２９を有している。固定部であるコントロールゲージ２９は、ベリリウム銅製であり、回転部のインペラー２７及びディストリビュータ２８と接触しても火花が出ない構成とされている。コントロールゲージ２９を備えるショットブラスト装置１は、従来の砥粒投射機３における金属同士の衝突による火花発生を防止する。
【００２３】  砥粒回収機構４は、図３に示すように、スクリューコンベア３１、バケットエレベータ３２、風選式セパレータ３３を有する。スクリューコンベア３１は、作業者から見てショットブラスト装置１の底部に正面側から背面側に向けて設けられている。バケットエレベータ３２は、ショットブラスト装置１の背面壁部１６に沿って設けられ、スクリューコンベア３１の搬出口から立ち上がり形成されている。風選式セパレータ３３は、ショットブラスト装置１の上部においてバケットエレベータ３２の搬出口に装着され、研掃によってダイカスト製品または砥粒から発生した粉塵、破砕した砥粒、酸化皮膜、バリ等の異物と、砥粒とを風力によって分離し、分離後の砥粒を誘導管（図示せず）により砥粒投射機３に誘導する。  ここで、バケットエレベータ３２は、図７に示すように、導電性ナイロン製のバケット３４と、このバケット３４を駆動するベルト３５とを有している。砥粒回収機構４は、導電性ナイロン製バケット３４を用いていることから、ベルト３５が緩んでバケット３４が鉄製のケーシング３６に接触しても火花が出ない構造とされている。これにより、研掃によってダイカスト製品または砥粒から発生した粉塵に起因する粉塵爆発が防止される。
【００２４】  湿式集塵機５は、図８に示すように、出口ノズル４１に送風機４２が設けられるとともに、水切板（エリミネータ）４３と、Ｓ字インペラー部４４とを有する。送風機４２により湿式集塵機５に流入した粉塵を含む空気は、Ｓ字インペラー部４４の水膜４４ａを通され、洗浄作用と遠心力によって集塵される。Ｓ字インペラー部４４は、空気に含まれる粉塵が水と激しく交じり合うときの衝突と、遠心力とにより、効率の良い集塵部として機能する。Ｓ字インペラー部４４で捕集された粉塵は、スラリーとして集塵機本体４５の下部の水槽に沈殿する。一方Ｓ字インペラー部４４で洗浄された空気は、水切板４３で水切りされて出口ノズル４１より排出される。  尚、図８中、集塵機本体４５の中心部分付近に設けられたノズル４５ａ，４５ｂには、点検蓋４５ｃ，４５ｄが設けられる。また、矢印は空気の流動方向を表す。
【００２５】  湿式集塵機５の送風機４２を構成するファンインペラー（羽根部分）は、アルミ製である。アルミ製のファンインペラーを有するショットブラスト装置１は、金属同士の衝突による火花発生を防止する。これにより、研掃によってダイカスト製品または砥粒から発生した粉塵に起因する粉塵爆発や、粉塵と水の反応により発生する水素ガスの爆発が防止される。
【００２６】  また、湿式集塵機５は、図８及び９に示すように、集塵機本体４５の上部に設けられるガス抜き弁４６を有する。このガス抜き弁４６は、弁体４８を湿式集塵機５の外側（ガス抜き弁４６を開放状態にする側）に向けて付勢するバネ部材４７を有しており、送風機４２の運転中にはその負圧によりバネ部材４７の付勢力に抗して弁体４８を閉とし、送風機４２の停止中には弁体４８を開とする。これにより、送風機４２が停止しているときに水素ガスが発生した場合にも、ガス抜き弁４６は、水素を確実に機外に排出して、湿式集塵機５内に水素が充満することを防止できる。尚、バネ部材４７は、集塵機本体４５の上部のノズル部分４６ａ内部に渡された取付部材４６ｂに取り付けられ、弁体４８を湿式集塵機５の外側に向けて付勢している。  ガス抜き弁４６を有するショットブラスト装置１は、研掃処理時に粉塵爆発の発生する可能性が高く、しかもこの粉塵が水と反応することにより水素ガスが発生するダイカスト製品、例えばマグネシウム合金やアルミニウム合金製のダイカスト製品を安全に研掃処理することができる。また、ショットブラスト装置１の湿式集塵機５は、屋外に配置されており、ガス抜き弁４６から排出された水素ガスが屋内に充満することを防止している。
【００２７】  さらに、湿式集塵機５は、集塵機本体４５の上部に設けられ、集塵機本体４５内の圧力が一定以上になったときに作動して開放する爆発放散機構として破裂板４９を有する。破裂板４９は、例えばＳＵＳ製であり、万が一の爆発の際には当該板が破裂することで爆風を放散して湿式集塵機５が破壊されることを防止する。破裂板４９の強度は、装置本体の設計耐圧強度の１／４以下とされている。  ガス抜き弁４６に加えて破裂板４９を有するショットブラスト装置１は、研掃処理時に粉塵爆発の発生する可能性が高く、しかもこの粉塵が水と反応することにより水素ガスが発生するダイカスト製品、例えばマグネシウム合金やアルミニウム合金製のダイカスト製品を安全に研掃処理することができる。  尚、爆発放散機構は、破裂板４９に限られるものではなく、例えば、所定の重りが付加されるかその自重により通常時は閉とされるドア部材と、このドア部材を回動自在に保持する蝶番部材とを有し、爆発時には、ドア部材が爆風により開動作される所謂蝶番ドア式放散機構でもよい。また、爆発放散機構は、例えば、パネル部材と、通常時はこのパネル部材を嵌め込み保持する嵌合ノズル部とを有し、爆風時には、パネル部材が爆風により嵌め込みが解除されてこのノズル部分が開動作される所謂離脱パネル式放散機構でもよい。また、この破裂板４９等の爆発放散機構は、集塵機本体４５の上部に設けられるに限られるものではなく、例えば、側面部に設けるようにしてもよい。すなわち側面部のノズル又はそのノズルに接続されるとともに上方に向けられた配管中に設けるようにしてそこから上方に向けて爆風を放散するようにしてもよい。
【００２８】  この湿式集塵機５の入口ノズル５０の内部には、図８に示すように、逆流防止弁である爆風緩衝ダンパ５１が設けられている。爆風緩衝ダンパ５１は、通常は開とされ、爆風等の逆流があったときに閉とされるダンパ部材５２を有している。爆風緩衝ダンパ５１は、万が一の爆発の際に、ダンパ部材５２が閉止して、湿式集塵機５から被処理物収納体２側に爆風が流入することを防止する。  逆流防止弁である爆風緩衝ダンパ５１を有するショットブラスト装置１は、被処理物収納体２側が爆風により破壊されることを防止することができるため、研掃処理時に粉塵爆発の発生する可能性が高く、しかもこの粉塵が水と反応することにより水素ガスが発生するダイカスト製品、例えばマグネシウム合金やアルミニウム合金製のダイカスト製品を安全に研掃処理することができる。  尚、爆風緩衝ダンパ５１の設置場所は、湿式集塵機５の入口ノズル５０の内部に限られない。例えば湿式集塵機５と被処理物収納体２との間に設けられていれば、被処理物収納体２を保護することができる。湿式集塵機５と後述のセトリングチャンバ５５との間に設けられていれば、セトリングチャンバ５５をも保護することができる。
【００２９】  ショットブラスト装置１は、ガス抜き弁４６、破裂板４９、爆風緩衝ダンパ５１を備えることにより、マグネシウム合金ダイカストやアルミニウム合金ダイカストである被処理物に砥粒を投射して、この被処理物の表面処理をする場合に特に有効である。マグネシウム合金ダイカストの場合は、砥粒投射機３から投射される砥粒は、亜鉛系投射材であり、アルミニウム合金ダイカストの場合は、砥粒投射機３から投射される砥粒は、アルミニウム系投射材である。
【００３０】  図３に示すように、被処理物収納体２から湿式集塵機５に至る配管５３の途中に、セトリングチャンバ５５が設けられている。なお、図３に示した矢印は、粉塵が含まれる空気の流動方向を表している。  セトリングチャンバ５５の上部には、被処理物収納体２に近い側、及び湿式集塵機５に近い側のそれぞれに、入口５５ａ、及び出口５５ｂが設けられている。また、セトリングチャンバ５５の内部には、天板５５ｃから下方に向けて延び出す障壁部材５６が設けられている。障壁部材５６は、入口５５ａから流入した粉塵を含む空気の流れを下方側に迂回させて出口側に導くことで、滞留時間を稼ぐという機能がある。また、障壁部材５６は、入口５５ａと出口５５ｂとの中間より入口５５ａに近接した位置に設けられている。これにより、出口５５ｂへ向かう上昇流の流速の方が、入口５５ａからの下降流の流速より遅くなる。この結果、湿式集塵機５に流入する粉塵を含む空気から、粉塵よりも重量が大きいバリ等が分離されて落下し、下方側の排出口５５ｄから排出される。  
【００３１】  また、ショットブラスト装置１において、モータはすべて安全増防爆型としているのみならず二次側配線も安全増防爆配線としている。さらに、ショットブラスト装置１において、リミットスイッチ、近接センサ等は、バリアリレーを経由する構成とされており、本質的安全防爆構造としている。ここで、本質的安全防爆構造とは正常時及び事故時に発生する火花又は高温部により爆発性ガスに点火しないことが、公的機関において点火試験その他によって確認された構造のことを意味するものとする。さらにまた、ショットブラスト装置１において、制御盤２６は防塵構造とし制御盤内を空気で加圧（エアパージ）するように構成するとともに、装置本体（研掃ステーション等）から切り離して配置していることから、安全な研掃処理を実現する。
【００３２】  以上のようなショットブラスト装置１を用いたショットブラスト方法について、図２〜４及び図８を参照して説明する。まず、作業ステーションＳ２においてハンガー部材１３に被処理物を取り付ける。次に、仕切り部材１２及びハンガー部材１３を主回転軸の周りに回転させることで、取り付けた被処理物を研掃ステーションＳ１側に位置させるとともに、研掃ステーションＳ１側の空間を密閉する。次に、研掃ステーションＳ１において、被処理物に砥粒投射機３により砥粒を投射して研掃を行う。このとき、作業ステーションＳ２において被処理物の取付け・取外しを並行して行う。投射停止後、仕切り部材１２を所定の時間（換気時間）待機させる。所定時間経過後、仕切り部材１２とハンガー部材１３を主回転軸の周りに回転させて研掃処理後の被処理物を作業ステーションＳ２に送る。投射後の砥粒を、砥粒回収機構４により砥粒投射機３に送り、この砥粒に混ざった粉塵が含まれる空気を、配管５３を介して湿式集塵機５に運ぶ。湿式集塵機５では、水膜４４ａにより空気中の粉塵を捕集し、捕集した粉塵をスラリー状にして沈殿させ、集塵後の空気を送風機４２により出口ノズル４１から排出する。  なお、湿式集塵機５による集塵は、研掃及び換気時間中のみ行ってもよいし、ショットブラスト装置１の稼働中連続して行ってもよい。
【００３３】  本発明を適用したショットブラスト装置１は、上述したような被処理物収納体２、砥粒投射機３、砥粒回収機構４、湿式集塵機５を備える構成とされていることにより、粉塵爆発の発生する可能性の高いダイカスト製品に対して安全に研掃処理を行うことを実現する。
【００３４】  また、ショットブラスト装置１は、湿式集塵機５がガス抜き弁４６や、放散機構としての破裂板４９や、逆流防止弁としての爆風緩衝ダンパ５１を備えることにより、粉塵爆発の発生する可能性が高く、しかもこの粉塵が水と反応することにより水素ガスが発生するダイカスト製品、例えばマグネシウム合金やアルミニウム合金製のダイカスト製品に対して安全に研掃処理を行うことを実現する。
【００３５】  また、ショットブラスト装置１の被処理物収納体２が、筐体１１、仕切り部材１２、ハンガー部材１３、駆動手段等１４を有し、仕切り部材１２を回転方向の所定位置にしたとき、仕切り部材１２と筐体１１とで囲まれた少なくとも１の密閉された空間が形成される、所謂複数ステーション方式（上述では２ステーション方式）であることから、一のステーションで研掃処理中に、他のステーションで被処理物の取外し及び取付けを行うことができるので、サイクルタイムが短縮される。また、１ステーション方式と同じサイクルタイムで比較したときに、２つ以上のステーションを設けたことから、研掃処理を行うステーションにおいて十分な集塵時間を設定することが可能となり、結果的に粉塵除去率を高めることができる。すなわち、ショットブラスト装置１は、１ステーション研掃装置より生産の能力が高く、丁寧な表面仕上げを可能とする。また、ショットブラスト装置１は、仕切り部材１２の回転を制御部により管理する構成としたので、研掃ステーションから作業ステーションへの粉塵漏出を低減することができる。
【００３６】  また、ショットブラスト装置１では、鉄同士のこすれや摩擦による発熱を防止するために、適宜非鉄材を選定した。例えば、コントロールゲージ２９や、バケットエレベータ３２のバケット３４や、送風機４２のファンインペラーに火花発生防止用の材料を用いたので、装置としての機能を損なわずに安全な研掃処理を行うことができる。さらに、湿式集塵機５により万が一の爆発被害を最小に抑えることが可能なので、作業者の作業環境が改善されるとともに、安全に研掃処理を行うことができる。
【符号の説明】
【００３７】１    ショットブラスト装置２    被処理物収納体３    砥粒投射機４    砥粒回収機構５    湿式集塵機
【図１】
2012066687.tif 000003
【図２】
2012066687.tif 000004
【図３】
2012066687.tif 000005
【図４】
2012066687.tif 000006
【図５】
2012066687.tif 000007
【図６】
2012066687.tif 000008
【図７】
2012066687.tif 000009
【図８】
2012066687.tif 000010
【図９】
2012066687.tif 000011
【国際調査報告】
2012066687.tif 000012
2012066687.tif 000013
2012066687.tif 000014
2012066687.tif 000015